【手続補正書】
【提出日】平成19年6月22日(2007.6.22)
【手続補正１】
【補正対象書類名】特許請求の範囲
【補正対象項目名】全文
【補正方法】変更
【補正の内容】
【特許請求の範囲】
【請求項１】
単語に関する単語情報を取得する単語情報取得手段と、
前記取得した単語情報に基づいて、入力操作可能な操作手段における所定の入力操作に対応して所定の単語に変換する入力支援手段で前記単語に変換するための入力操作に応じた信号列の信号列情報を生成する単語変換手段と、
この単語変換手段にて生成された前記単語の信号列と単語情報記憶手段に複数記憶された単語における前記入力操作に応じた信号列情報の信号列との類似状態に関する類似度情報を演算する類似度演算手段と、
前記類似度情報に基づいて前記信号列情報が類似する前記単語情報記憶手段に記憶された単語を選出する単語候補選出手段と、
を具備したことを特徴とした類似単語検索装置。
【請求項２】
請求項１に記載の類似単語検索装置であって、
前記単語変換手段は、前記取得した単語情報の単語をローマ字読みした場合の文字列に対応する信号列の信号列情報を生成する
ことを特徴とした類似単語検索装置。
【請求項３】
請求項１に記載の類似単語検索装置であって、
前記単語変換手段は、携帯通信端末装置に設けられた入力操作可能な操作手段による信号列情報に基づいて単語に変換する入力支援手段における変換する前の前記取得した単語情報の単語についての前記入力操作に応じた信号列の信号列情報を生成する
ことを特徴とした類似単語検索装置。
【請求項４】
請求項１ないし請求項３のいずれかに記載の類似単語検索装置であって、
前記類似度演算手段は、前記単語情報記憶手段に記憶された前記単語における前記信号列情報を前記単語変換手段にて生成させ、この生成した信号列情報との類似度情報を演算する
ことを特徴とした類似単語検索装置。
【請求項５】
請求項１ないし請求項３のいずれかに記載の類似単語検索装置であって、
前記類似度演算手段は、前記単語情報記憶手段に記憶された前記単語に関連付けられた前記信号列情報を取得し、この取得した信号列情報との類似度情報を演算する
ことを特徴とした類似単語検索装置。
【請求項６】
請求項１ないし請求項５のいずれかに記載の類似単語検索装置であって、
前記類似度演算手段は、前記信号列情報の信号列における前記操作手段の入力操作毎に対応した単位信号およびこれら単位信号を組み合わせた部分信号のうちの少なくともいずれか１つを有する分割信号情報を生成する分割信号情報生成手段と、この生成された分割信号情報と前記単語情報記憶手段に記憶された前記単語における前記分割信号情報との同一性に応じた重み付けに関する重み度情報を演算する重み度情報演算手段と、を備え、
前記重み度情報に基づいて前記単語情報記憶手段に記憶された前記単語の類似状態に関する類似度情報を演算する
ことを特徴とした類似単語検索装置。
【請求項７】
請求項６に記載の類似単語検索装置であって、
前記分割信号情報生成手段は、前記部分信号を前記信号列情報の信号列を１字分ずつずらした文字列の並びとして生成する
ことを特徴とした類似単語検索装置。
【請求項８】
請求項１ないし請求項７のいずれかに記載の類似単語検索装置であって、
前記単語候補選出手段にて選出された単語を、入力操作により選択可能に表示手段に表示させる表示制御手段を具備した
ことを特徴とした類似単語検索装置。
【請求項９】
請求項１ないし請求項８のいずれかに記載の類似単語検索装置であって、
所定の入力操作により前記単語候補選出手段にて選出された単語を前記取得した単語に代える単語修正手段を具備した
ことを特徴とした類似単語検索装置。
【請求項１０】
請求項１ないし請求項９のいずれかに記載の類似単語検索装置であって、
前記類似度演算手段は、前記単語変換手段にて生成された前記単語の信号列と、前記単語情報記憶手段に記憶された前記単語における前記入力操作に応じた信号列との距離に関する距離情報を前記類似度情報として演算する
ことを特徴とした類似単語検索装置。
【請求項１１】
請求項１ないし請求項９のいずれかに記載の類似単語検索装置であって、
前記単語候補選出手段は、前記選出した単語のうち、前記取得した単語との距離に関する距離情報を演算し、この演算した距離情報に基づいて前記選出した単語のいずれかを選出する
ことを特徴とした類似単語検索装置。
【請求項１２】
請求項１１に記載の類似単語検索装置であって、
前記単語候補選出手段は、前記距離情報として、前記選出した単語の信号列と、前記取得した単語における前記信号列との距離に関する距離情報を演算する
ことを特徴とした類似単語検索装置。
【請求項１３】
請求項１ないし請求項１２のいずれかに記載の類似単語検索装置であって、
前記単語候補選出手段は、前記選出する単語のうち、前記単語を含む文献に関する文献情報を複数記憶する文献記憶手段における前記選出する単語の利用頻度を演算し、この利用頻度に基づいて前記単語情報記憶手段に記憶された単語を選出する
ことを特徴とした類似単語検索装置。
【請求項１４】
請求項１３に記載の類似単語検索装置であって、
前記単語候補選出手段は、前記文献記憶手段に記憶された文献情報での出現頻度、および前記選出する単語を含む文献頻度のうちの少なくともいずれか一方を利用頻度として演算する
ことを特徴とした類似単語検索装置。
【請求項１５】
請求項１３または請求項１４に記載の類似単語検索装置であって、
前記単語候補選出手段は、前記単語記憶手段に記憶された単語情報に、この単語情報の単語を含む文献に対応し文献を特定する文献固有情報が関連付けられた単語出現一覧テーブルに基づいて前記利用頻度を演算する
ことを特徴とした類似単語検索装置。
【請求項１６】
請求項１ないし請求項１５のいずれかに記載の類似単語検索装置と、
単語を含む文献に関する文献情報を複数記憶する文献記憶手段を利用して、前記類似単語検索装置にて選出された単語を含む前記文献情報を検索する検索手段と、
を具備したことを特徴とした情報検索装置。
【請求項１７】
演算手段により、取得した単語に類似する単語を選出する類似単語検索方法であって、
前記演算手段は、
入力操作可能な操作手段における所定の入力操作に対応して所定の単語に変換する入力支援手段で前記取得した単語に変換するための入力操作に応じた信号列の信号列情報を生成し、
この生成した単語の信号列情報の信号列と単語情報記憶手段に複数記憶された単語における前記入力操作に応じた信号列情報の信号列との類似状態に関する類似度情報を演算し、
この演算した類似度情報に基づいて前記信号列情報が類似する前記単語情報記憶手段に記憶された単語を選出する
ことを特徴とする類似単語検索方法。
【請求項１８】
演算手段を、請求項１ないし請求項１５のいずれかに記載の類似単語検索装置、または請求項１６に記載の情報検索装置として機能させる
ことを特徴とした類似単語検索プログラム。
【請求項１９】
請求項１７に記載の類似単語検索方法を演算手段に実行させる
ことを特徴とした類似単語検索プログラム。
【手続補正２】
【補正対象書類名】明細書
【補正対象項目名】００３２
【補正方法】削除
【補正の内容】
【手続補正３】
【補正対象書類名】明細書
【補正対象項目名】００３３
【補正方法】削除
【補正の内容】
【手続補正４】
【補正対象書類名】明細書
【補正対象項目名】００４５
【補正方法】変更
【補正の内容】
【００４５】
検索要求手段２５２は、キーワード設定手段２５１で取得した単語情報のキーワードに基づいて、このキーワードを含む文献情報の検索の実行をサーバ装置３００に要求する旨の検索要求情報を生成する。すなわち、検索要求情報には、キーワードと、このキーワードを含む文献情報を検索する条件である検索条件情報と、検索を要求する利用者や端末装置２００を特定する顧客情報などを有した端末特定情報とが、１つのデータ構造として関連付けられている。そして、検索要求手段２５２は、生成した検索要求情報を端末通信手段２１０によりネットワーク１１０を介してサーバ装置３００へ送信する。
【手続補正５】
【補正対象書類名】明細書
【補正対象項目名】００８３
【補正方法】変更
【補正の内容】
【００８３】
この後、利用者が画面表示に従って端末入力手段２２０を適宜操作し、設定したキーワードを含む文献の検索を要求する旨の入力操作により、文献検索を実行させる。この文献検索の実行を要求する旨の入力操作としては、例えば表示画面中に設けられ文献検索の実行を促すコマンドボタンの入力操作などが例示できる。この入力操作により、端末処理手段２５０の検索要求手段２５２は、設定させたキーワードを含む文献検索の実行をサーバ装置３００に要求する旨の検索要求情報を生成し（ステップＳ１０２）、端末通信手段２１０によりネットワーク１１０を介してサーバ装置３００へ送信させる処理をする（ステップＳ１０３）。
【手続補正６】
【補正対象書類名】明細書
【補正対象項目名】０１０７
【補正方法】変更
【補正の内容】
【０１０７】
さらに、選出した類似単語の絞り込みの処理として、距離を演算する構成としては、入力ローマ字列での距離の他、キーワードおよび類似単語の文字列での距離を演算してもよい。さらには、距離を演算する構成に代えて、例えば単語出現一覧テーブルを利用して関連付けられた文献が多いすなわち文献頻度が高い方、あるいは全文献中での出現頻度が多い方などのその単語の文献での利用頻度に基づいて判断し、利用頻度が高い方が確からしい単語であるとして重み付け（例えばスコア付け）をし、絞り込みの類比判断をするなどしてもよい。なお、単語出現一覧テーブルを用いて文献頻度に応じて類似単語のスコア付けをしてスコアの大きい順が類似度がより高いとして絞り込みを実施する構成では、単語出現一覧テーブルの共用が図れ、情報の有効利用による構成の簡略化や処理の高速化などが容易に得られる。そして、出現頻度を利用する構成では、例えば以下の数６に示す指揮に基づいてスコアＶ付けを実施することが例示できる。